(57)【要約】【課題】利用形態に応じて開口部の大きさを柔軟に変更でき、使い勝手の良い、多様なニーズに対応できる合理的・経済的な扉構造を提供する。【解決手段】  この扉構造は、開口と、折り重なる方向に相対回転し得るように２つのパネル２５ａ、２５ｂを連結して成る開口開閉用の扉２５と、前記２つのパネルを扉として一体的に作動するように解除自在に結合する結合機構Ｌａ、Ｇ等と、前記結合による扉が所定角度旋回して開口一端側に平行移動するのを支持する支持機構Ｒ、Ｗ等と、を含む。【選択図】  図１０
2010242388.tif 000002
【特許請求の範囲】
【請求項１】
開口と、
互いに折り重なる方向に相対回転し得るように２つのパネルを連結して成る開口開閉用の扉と、
前記２つのパネルを扉として一体的に作動するように解除自在に結合する結合機構と、
前記結合された扉が所定角度旋回して開口一端側に平行移動するのを支持する支持機構と、
を含むことを特徴とする扉構造。
【請求項２】
請求項１に記載の扉構造において、
支持機構は、扉が所定角度旋回する際の回転中心としての機能を奏する第１回転支軸を有することを特徴とする扉構造。
【請求項３】
請求項２に記載の扉構造において、
結合機構は、一方のパネルに折り重なる方向に他方のパネルが回転する際の回転中心としての機能を奏する第２回転支軸を有することを特徴とする扉構造。
【請求項４】
請求項３に記載の扉構造において、
第２回転支軸は、蝶番を含むことを特徴とする扉構造。
【請求項５】
請求項３または４に記載の扉構造において、
第１回転支軸は、第２回転支軸を回転中心とする前記他方のパネルの回転に干渉しないことを特徴とする扉構造。
【請求項６】
請求項３から５のいずれか１項に記載の扉構造において、
前記他方のパネルに付設される通風用パネルを更に含み、該通風用パネルは、扉が前記所定角度旋回するときは、扉と一体的に作動し、前記一方のパネルに折り重なる方向に前記他方のパネルが回転するときは、前記他方のパネルと一体的に作動しないことを特徴とする扉構造。
【請求項７】
請求項６に記載の扉構造において、
前記一方のパネルに折り重なる方向に回転し終えた前記他方のパネルは、前記一方のパネルと共に更に所定角度回転でき、
その際の回転中心としての機能を奏する第３回転支軸を更に含むことを特徴とする扉構造。
【請求項８】
請求項７に記載の扉構造において、
通風用パネルは、前記一方のパネルおよび他方のパネルが第３回転支軸を回転中心として回転する際に、一体的に作動しないことを特徴とする扉構造。
【発明の詳細な説明】
【技術分野】
【０００１】
本発明は、扉構造に関し、特に、物品の搬出入口や人の出入口に好適な扉構造に関する。
【背景技術】
【０００２】
図２０および図２１には、従来の片開き式の扉５５を例示し、図２２および図２３には、両開き式の扉６５を例示する。
特許文献１は、両開き式の扉の一方を構成する子扉に、いわゆるグレモン締り構造を組み込んで、両開き式の扉の他方を構成する親扉の施錠中には子扉の戸締りを解除できないようにする構造を開示する。
【０００３】
【特許文献１】特開２００３−３０７０６７号公報
【発明の開示】
【発明が解決しようとする課題】
【０００４】
図２０および図２１に示す片開き式の扉５５の場合、大きな開口を開閉するために扉５５自体が大型化せざるを得ず、扉の操作性や通風等の使い勝手の面で改善の余地がある。
他方、図２２および図２３に示す両開き式の扉６５の場合、両扉６５、６５の召し合わせ部分の隙間寸法が上下で不均一になり易いなどの審美的な面や使い勝手の面で改善の余地がある。特許文献１に開示された扉についても同様に改善の余地がある。
本発明は、このような従来の不都合を解消し得る合理的かつ経済的な扉構造を提供することをその課題とする。特に本発明は、利用形態に応じて開口部の大きさを柔軟に変更でき、使い勝手の良い扉構造を提供することをその課題とする。
【課題を解決するための手段】
【０００５】
上記課題を解決するために、本発明の第１態様の扉構造は、開口と、互いに折り重なる方向に相対回転し得るように２つのパネルを連結して成る開口開閉用の扉と、前記２つのパネルを扉として一体的に作動するように解除自在に結合する結合機構と、前記結合された扉が所定角度旋回して開口一端側に平行移動するのを支持する支持機構と、を含むことを特徴とする。
【０００６】
本発明の第２態様の扉構造は、第１態様において、支持機構は、扉が所定角度旋回する際の回転中心としての機能を奏する第１回転支軸を有することを特徴とする。
【０００７】
本発明の第３態様の扉構造は、第２態様において、結合機構は、一方のパネルに折り重なる方向に他方のパネルが回転する際の回転中心としての機能を奏する第２回転支軸を有することを特徴とする。
【０００８】
本発明の第４態様の扉構造は、第３態様において、第２回転支軸は、蝶番を含むことを特徴とする。
【０００９】
本発明の第５態様の扉構造は、第３または４態様において、第１回転支軸は、第２回転支軸を回転中心とする前記他方のパネルの回転に干渉しないことを特徴とする。
【００１０】
本発明の第６態様の扉構造は、第３から５態様のいずれか１態様において、前記他方のパネルに付設される通風用パネルを更に含み、該通風用パネルは、扉が前記所定角度旋回するときは、扉と一体的に作動し、前記一方のパネルに折り重なる方向に前記他方のパネルが回転するときは、前記他方のパネルと一体的に作動しないことを特徴とする。
【００１１】
本発明の第７態様の扉構造は、第６態様において、前記一方のパネルに折り重なる方向に回転し終えた前記他方のパネルは、前記一方のパネルと共に更に所定角度回転でき、その際の回転中心としての機能を奏する第３回転支軸を更に含むことを特徴とする。
【００１２】
本発明の第８態様の扉構造は、第７態様において、通風用パネルは、前記一方のパネルおよび他方のパネルが第３回転支軸を回転中心として回転する際に、一体的に作動しないことを特徴とする。
【発明の効果】
【００１３】
従来の不都合を解消することができ、扉に求められる様々なニーズに応じた多彩な構成から成る扉を容易且つ迅速に市場に提供することができる。特に、利用形態に応じて開口部の大きさを柔軟に変更でき、使い勝手の良い扉構造を提供することができる
【発明を実施するための最良の形態】
【００１４】
以下、図面を参照して、本発明の複数の実施の形態を説明するが、本発明はそれらの実施の形態に限定されないことは言うまでもない。
［第１の実施の形態］
先ず、図１から図３を参照して、本発明に係る扉構造の第１実施形態について説明する。図１は、本発明の第１実施形態の扉構造を外部側から見た正面図であり、図２は、図１のII−II線に沿い上方側から見た横断面図である。
【００１５】
第１実施形態の扉構造１は、基本的に矩形の開口（人や物の出入口）を画定する枠３と、開口を塞ぐ扉５と、から構成される。枠３は、上下の水平方向に延びる横枠と左右の鉛直方向に延びる縦枠とを含む。扉５は、２つのパネルを折り畳み可能なように、例えば、蝶番で連結した構造を有する。以下、便宜的に、一方（大きい方）のパネルを親扉５ａ、他方（小さい方）のパネルを子扉５ｂと呼ぶ。
【００１６】
図１および２に示す第１作動モードでは、親扉５ａと子扉５ｂは一体的に結合されて、１枚の扉として開閉作動する。すなわち、扉５（親扉５ａおよび子扉５ｂ）は、図２に示す右手側の第１回転支軸Ａ１を回転中心として、矢印のように全体的に片開き式に開閉作動する。この第１作動モードの場合、大きな開口（出入口）を開閉することができるので、大型荷物の搬出入や多人数の出入に適していると言うことができる。
【００１７】
他方、図３に示す第２作動モードでは、親扉と子扉との一体結合が解除されて、子扉のみが単独の扉として開閉作動する。すなわち、子扉は、図３に示す第２回転支軸（蝶番）Ａ２を回転中心として、矢印のように片開き式に（親扉５ａに折り重なる方向に）開閉作動する。この第２作動モードの場合、小さな開口（出入口）を開閉することができるので、小型荷物の搬出入や少人数の出入に適していると言うことができる。
【００１８】
ところで、第１作動モードでは、親扉５ａと子扉５ｂとを一体結合でき、かつ、第１回転支軸Ａ１が扉５（親扉５ａおよび子扉５ｂ）の回転支軸（回転中心）として機能できるようにし、他方、第２作動モードでは、親扉５ａと子扉５ｂとの一体結合を解除でき、かつ、第１回転支軸Ａ１が扉５（親扉５ａおよび子扉５ｂ）の回転支軸として機能できないようにする構造（すなわち、子扉５ｂ単独の開閉作動を阻害しない構造）が必要になる。
【００１９】
これは、例えば、次のような構成（図４）を採用することにより実現される。すなわち、図４に典型的なグレモン締り構造を示す。これによれば、ハンドルＧ１を回すことにより、それに連動するリンク機構Ｇ３を介して、上下から棒状部Ｇ５が突出して受け座（図示せず）に入って扉を固定（扉の回転支軸としての機能を奏することも可能）することができる。
【００２０】
このグレモン締り構造Ｇ（もしくはこれに類似の構造）を子扉５ｂに設けて、子扉５ｂの操作レバーＬｂに連動して、突没する棒状部Ｇ５が回転支軸としての機能を奏することおよび奏しないことができるように構成すると共に、同様に子扉５ｂの操作レバーＬｂに連動して、親扉５ａおよび子扉５ｂを解除自在に一体結合するラッチ機構（図示せず）を設ける。
【００２１】
これにより、上記のような第１および第２作動モードを実現するのに必要な構造が得られる。なお、本明細書に記載するグレモン締り構造やラッチ機構は、一例に過ぎず、当業者によって様々な構造ないし構成を想到および採用することができることは言うまでもない。このことは、後述する他の実施形態についても妥当する。
【００２２】
以下、第１実施形態の作動・作用について簡潔に説明する。
操作者が、親扉５ａに設けられた操作レバーＬａを、扉５の外部側あるいは内部側から操作する第１作動モードの場合（図２）、回転支軸としての機能を奏する第１回転支軸Ａ１を回転中心として、扉５（親扉５ａおよび子扉５ｂ）が全体的に片開き式に開閉作動することができる。
【００２３】
他方、操作者が、子扉５ｂの操作レバーＬｂを、扉５の外部側あるいは内部側から操作する第２作動モードの場合（図３）、操作レバーＬｂの作動に連動して、親扉５ａおよび子扉５ｂの一体結合が解除され、同時に、第１回転支軸Ａ１が回転支軸としての機能を喪失すると共に子扉５ｂの作動を阻害しない。したがって、子扉５ｂは単独で片開き式に開閉作動すること（すなわち、親扉５ａに折り重なること）ができる。
【００２４】
以上のように、第１実施形態においては、親扉５ａの操作レバーＬａか子扉５ｂの操作レバーＬｂかの単なる選択で、扉５全体の大きな開閉作動と、子扉５ａのみの小さな開閉作動とを極めて容易かつ迅速に切り換えることができる。すなわち、荷物の大小や人数の多少に応じた出入口面積の変更を容易且つ迅速に行うことができる。
このように、本実施形態によれば、扉の付加価値が高まり、扉の選択の幅が拡大するなど、実用性等を著しく改善することが可能になる。
【００２５】
［第２の実施の形態］
次に、図５から図７を参照して、本発明に係る扉構造の第２実施形態について説明すると共に、図８を参照して、その変更形態を簡潔に説明する。なお、上記第１実施形態と共通するまたは共通し得る部分・部品については、同一の参照番号を付して、重複する説明を適宜省略し、主として特徴的な部分を説明する。
【００２６】
第２実施形態の扉構造１１を外部側から見た図５から理解され得るように、この扉構造１１は、上記第１実施形態の扉構造１をベースにして、通風用のパネル７（たとえば、金型等を用いて穴を開けた、いわゆるパンチングパネル）を追加したような構成から成る。
【００２７】
通風用パネル７は、親扉５ａおよび子扉５ｂが一体的に結合されて１枚の扉として、第１回転支軸Ａ１を回転中心として、片開き式に開閉作動する第１作動モードでは、同じく扉の一部として一体的に作動する（図６）。
【００２８】
他方、親扉５ａと子扉５ｂとの一体結合が解除されて、子扉５ｂのみが単独の扉として、第２回転支軸（蝶番）Ａ２を回転中心として、開閉作動する第２作動モードでは、通風用パネル７は、親扉と同様に、開口（出入口）を閉じる位置に引き続き位置し続ける（図７）。このような通風用パネル７の作動は、たとえば親扉５ａと通風用パネル７とを一体結合しておくことによって容易に実現される。
【００２９】
以上の構成から成る第２実施形態の扉構造１１においては、親扉５ａの操作レバーＬａの操作によって、扉５全体の大きな開閉作動を行うことができ、大型荷物の搬出入や多人数の出入に対応することができる。他方、子扉５ｂの操作レバーＬｂの操作によって、子扉５ｂのみの小さな開閉作動を行うこと（親扉５ａに折り重なること））ができ、その際に通風用パネル７が存在するために効率の良い換気（通風）を行うことができる。
【００３０】
ところで、この換気時においても、人の出入等を可能にするのが、図８に示す変更形態である。すなわち、この変更形態においては、図７に示すような開口（出入口）を閉じる位置に位置する親扉５ａと子扉５ｂが図８に示す第３作動モードに移行する。
【００３１】
詳細には、第３作動モードでは、通風用パネル７は、開口（出入口）を閉じる位置に引き続き位置し続ける一方、親扉５ａは、子扉５ｂと共に、第３回転支軸Ａ３を中心として開閉作動（略９０度回転）することができる。この際、子扉５ｂが親扉５ａに連動して開閉動作を行うが、これは必須ではなく、親扉５ａのみが開閉作動するように構成することもできる。
【００３２】
以上のような第３回転支軸Ａ３の機能形成および解除は、上述したグレモン締り構造や類似機能を有する構造などを用いて容易に実現される。
【００３３】
［第３の実施の形態］
次に、図９から図１１を参照して、本発明に係る扉構造の第３実施形態について説明する。なお、上記実施形態（変更形態を含む）と共通するまたは共通し得る部分・部品については、同一の参照番号を付して、重複する説明を適宜省略し、主として特徴的な部分を説明する。
【００３４】
第３実施形態の扉構造２１は、扉が２枚のパネルから構成される点で上記第１および第２実施形態の扉構造１、１１と共通するが、扉が片開き式に開閉作動するのではなくて、次のように開閉作動する。
【００３５】
すなわち、扉２５は、親扉２５ａと子扉２５ｂとが一体結合されて１つの扉２５として開閉作動する。具体的には、扉２５（親扉２５ａおよび子扉２５ｂ）は、扉２５の片側ではなくて扉２５の略中央を上下に貫く鉛直軸（第１回転支軸Ａ１）を回転中心として、扉２５全体が略９０度旋回（図１０の矢印）する。更に扉２５は、開口の片側（図では右手側）に目掛けて平行移動（図１０の別の２つの矢印）することができる。この状態では、開口（出入口）が極めて大きく開かれるので、大型荷物の搬出入や多人数の出入に適していると言うことができる。
【００３６】
他方、扉２５は、前述の一体結合が解除されて、開口を全体的に塞ぐ状態から一部開く状態に変化できる。具体的には、親扉２５ａと子扉２５ｂとの一体結合が解除されて、子扉２５ｂのみが単独の扉として開閉作動する。すなわち、子扉２５ｂは、図１１に示すように蝶番（第２回転支軸Ａ２）を回転中心として、矢印のように片開き式に（親扉２５ａに折り重なる方向に）開閉作動する。この作動状態では、小さな開口を開閉できるので、小型荷物の搬出入や少人数の出入に適していると言うことができる。
【００３７】
ところで、親扉２５ａおよび子扉２５ｂの間の一体結合およびその解除については、たとえば、上記実施形態の説明で言及したようなラッチ機構を設けて、子扉２５ｂの操作レバーＬｂに連動して、親扉２５ａおよび子扉２５ｂを解除自在に一体結合することが考えられる。
【００３８】
また、上述した扉２５の９０度旋回および平行移動を支持する（あるいは可能にする）構造としては、次の２つの構造を例示することができる。
【００３９】
図１２に示す第１の構造Ｒは、扉２５上端に取り付けられた４個のコロを内蔵する旋回型ローラＲ１と、扉２５下端に取り付けられたコロ付きガイド棒Ｒ３と、開口上部に設けられた旋回型ローラ案内用の上レールＲ５と、開口下部に設けられたコロ付きガイド棒案内用の下レールＲ７と、を含む。
【００４０】
なお、旋回型ローラＲ１は、上レールＲ５の中に収容される態様に限られず、レール外側に係合して移動するような構成（図示せず）を採用することができる。また、下レールＲ７を床に埋め込む代わりに、コロ付きガイド棒を床側に設け且つ下レールを扉側に設けるような構成（図示せず）を採用することもできる。ローラＲ１およびガイド棒Ｒ３の各コロの数は、図示態様に限定されず、最適な数にすることができる。
【００４１】
図１３および図１４に示す第２の構造Ｗは、扉の上側に設けられる伝動機構Ｗ１および直線案内機構Ｗ２と、扉の下側に設けられる伝動機構Ｗ３および直線案内機構Ｗ４と、を含む。上下ともに実質上同じ構造で形成することができるので、説明の便宜上、一方すなわち上側の機構Ｗ１、Ｗ２のみを説明する。
【００４２】
伝動機構Ｗ１は、雌ねじ部および鋼球を内蔵したブロックＷ５とボールねじＷ６とから基本的に構成され、直線案内機構Ｗ２は、コロを内蔵したスライドＷ７と案内レールＷ８とから基本的に構成される。
【００４３】
伝動機構Ｗ１のボールねじＷ６と直線案内機構Ｗ２の案内レールＷ８は、開口上部（枠３）に取り付けられる。伝動機構Ｗ１のブロックＷ５と直線案内機構Ｗ２のスライドＷ７は、ベース板Ｗ９に取り付けられ、ベース板Ｗ９は、旋回ユニットＷ１０（詳細を図示せず）を介して扉２５に取り付けられる。なお、扉２５の旋回および平行移動を支持する構造は、図示態様に限られず、様々な態様を採用することができることは言うまでもない。
【００４４】
第３実施形態においては、操作者が、親扉２５ａに設けられた操作レバーＬａを、扉２５の外部側あるいは内部側から操作する場合、第１回転支軸Ａ１を回転中心として、扉２５全体（親扉２５ａおよび子扉２５ｂ）が略９０度旋回するができ、その旋回した状態のまま開口片側に並行移動させることができる（図１０）。
【００４５】
他方、操作者が、子扉２５ｂの操作レバーＬｂを、扉２５の外部側あるいは内部側から操作する場合、操作レバーＬｂの作動に連動して、親扉２５ａおよび子扉２５ｂの一体結合が解除され、子扉２５ｂは、第２回転支軸Ａ２（蝶番）を回転中心として、単独で片開き式に（親扉２５ａに折り重なる方向に）開閉作動することができる（図１１）。
【００４６】
以上のように、第３実施形態においては、操作レバーＬａおよびＬｂの選択により、扉２５全体の大きな開閉作動と、子扉２５ｂのみの小さな開閉作動とを極めて容易に切り換えることができる。すなわち、荷物の大小や人数の多少に応じた出入口面積の変更を容易且つ迅速に行うことができる。
【００４７】
［第４の実施の形態］
次に、図１５から図１７を参照して、本発明に係る扉構造の第４実施形態について説明すると共に、図１８および図１９を参照して、その変更形態を簡潔に説明する。なお、上記第３実施形態と共通する（または共通し得る）部分・部品については、同一の参照番号を付して、重複する説明を適宜省略し、主として特徴的な部分を説明する。
【００４８】
第４実施形態の扉構造３１を外部側から見た図１５から理解され得るように、この扉構造３１は、上記第３実施形態の扉構造２１をベースにして、通風用のパネル３７（たとえば、金型等を用いて穴を開けた、いわゆるパンチングパネル）を追加したような構成から成る。
【００４９】
通風用パネル３７は、親扉２５ａおよび子扉２５ｂが一体的に結合されて１枚の扉２５として開閉作動（旋回および平行移動）する場合、同じく扉２５の一部として一体的に作動する（図１６）。
【００５０】
他方、親扉２５ａと子扉２５ｂとの一体結合が解除されて、子扉２５ｂのみが単独の扉として開閉作動する場合（図１７）、通風用パネル３７は、親扉２５ａと同様に、開口（出入口）を閉じる位置に引き続き位置し続ける。このような通風用パネル３７の作動は、たとえば親扉２５ａと通風用パネル３７とを一体結合しておくことによって容易に実現される。
【００５１】
以上の構成から成る第４実施形態においては、親扉２５ａの操作レバーＬａの操作によって、扉２５全体の大きな開閉作動（旋回および平行移動）を行うことができ、大型荷物の搬出入や多人数の出入に迅速に対応することができる。他方、子扉２５ｂの操作レバーＬｂの操作によって、子扉２５ｂのみの小さな開閉作動を行うことができ、その際に通風用パネル３７が存在するために、効率の良い換気（通風）を行うことができる。
【００５２】
ところで、この換気時においても、人の出入等を可能にするのが、図１８および図１９に示す変更形態である。すなわち、この変更形態においては、図１７に示すような開口（出入口）を閉じる位置に位置する親扉２５ａと通風用パネル３７のうち、通風用パネル３７は、その位置に引き続き位置し続ける一方、親扉２５ａおよび子扉２５ｂは、第１回転支軸Ａ１を中心として略９０度片開きすることができる（図１８）。更に、親扉２５ａおよび子扉２５ｂは、その片開き状態のまま開口片側に平行移動させることができる（図１９）。
【００５３】
以上のような親扉２５ａおよび子扉２５ｂの片開きや平行移動は、図１２に示した構造や図１３および図１４に示した構造を用いて、あるいは、それに僅かな改変を加えることによって容易に実施される。
本発明は、前述した各実施形態に限定されるものではなく、本発明の要旨の範囲内、すなわち、特許請求の範囲に記載された範囲内で、各種の改変・変形実施が可能である。
【図面の簡単な説明】
【００５４】
【図１】本発明の第１実施形態の扉構造を外部側から見た正面図である。
【図２】図１のII−II線に沿い上方側から見た横断面図である。
【図３】子扉単独の作動を示す横断面図である。
【図４】グレモン締り構造を例示する斜視図である。
【図５】本発明の第２実施形態の扉構造を外部側から見た正面図である。
【図６】図５のVI−VI線に沿い上方側から見た横断面図である。
【図７】子扉単独の作動を示す横断面図である。
【図８】変形形態を示す横断面図である。
【図９】本発明の第３実施形態の扉構造を外部側から見た正面図である。
【図１０】図９のX−X線に沿い上方側から見た横断面図である。
【図１１】子扉単独の作動を示す横断面図である。
【図１２】扉の作動を支持する第１の構造の要部破断斜視図である。
【図１３】扉の作動を支持する第２の構造の要部破断正面図である。
【図１４】図１３のIV−IV線に沿い矢印方向に見た要部断面図である。
【図１５】本発明の第４実施形態の扉構造を外部側から見た正面図である。
【図１６】図１５のXVI−XVI線に沿い上方側から見た横断面図である。
【図１７】子扉単独の作動を示す横断面図である。
【図１８】変形形態を示す横断面図である。
【図１９】変形形態を示す別の横断面図である。
【図２０】従来の片開き式の扉の正面図である。
【図２１】図２０のXXI−XXI線に沿い上方側から見た横断面図である。
【図２２】従来の両開き式の扉の正面図である。
【図２３】図２２のXXIII−XXIII線に沿い上方側から見た横断面図である。
【符号の説明】
【００５５】
１、１１、２１、３１    扉構造
３    枠
５、２５    扉
５ａ、２５ａ    親扉
５ｂ、２５ｂ    子扉
７、３７    通風用パネル
Ａ１    第１回転支軸
Ａ２    第２回転支軸
Ａ３    第３回転支軸
Ｇ    グレモン締り構造
Ｇ１    ハンドル
Ｇ３    リンク機構
Ｇ５    棒状部
Ｌａ、Ｌｂ    操作レバー
Ｒ    第１の構造
Ｒ１    旋回型ローラ
Ｒ３    コロ付きガイド棒
Ｒ５    上レール
Ｒ７    下レール
Ｗ    第２の構造
Ｗ１、Ｗ３    伝動機構
Ｗ２、Ｗ４    直線案内機構
Ｗ５    ブロック
Ｗ６    ボールねじ
Ｗ７    スライド
Ｗ８    案内レール
Ｗ９    ベース板
Ｗ１０    旋回ユニット
５５、６５    扉
【図１】
2010242388.tif 000003
【図２】
2010242388.tif 000004
【図３】
2010242388.tif 000005
【図４】
2010242388.tif 000006
【図５】
2010242388.tif 000007
【図６】
2010242388.tif 000008
【図７】
2010242388.tif 000009
【図８】
2010242388.tif 000010
【図９】
2010242388.tif 000011
【図１０】
2010242388.tif 000012
【図１１】
2010242388.tif 000013
【図１２】
2010242388.tif 000014
【図１３】
2010242388.tif 000015
【図１４】
2010242388.tif 000016
【図１５】
2010242388.tif 000017
【図１６】
2010242388.tif 000018
【図１７】
2010242388.tif 000019
【図１８】
2010242388.tif 000020
【図１９】
2010242388.tif 000021
【図２０】
2010242388.tif 000022
【図２１】
2010242388.tif 000023
【図２２】
2010242388.tif 000024
【図２３】
2010242388.tif 000025